(57)【要約】【課題】  処理空間内の流れを一様化し、湿り空気の分布を揃えて処理対象物への与熱効率の向上を図ることができる湿り空気を用いた処理装置を提供する。【解決手段】  処理対象物１４を収容可能な略密閉された処理空間３と、当該処理空間３内に水分を供給するための水分供給手段４と、前記処理空間３の下部に備わる加熱手段５とを備え、前記加熱手段５により前記水分供給手段４から供給された水分を湿り空気とし、前記加熱手段５によって発生する上昇気流を利用して前記処理空間３を前記湿り空気で充満させて前記処理対象物１４を処理する湿り空気を用いた処理装置１であって、前記処理空間３の上部は多孔形状の蓋部材８で覆われる。【選択図】        図１
0003136596.tif 000002
【実用新案登録請求の範囲】
【請求項１】
処理対象物を収容可能な略密閉された処理空間と、
当該処理空間内に水分を供給するための水分供給手段と、
前記処理空間の下部に備わる加熱手段とを備え、
前記加熱手段により前記水分供給手段から供給された水分を湿り空気とし、前記加熱手段によって発生する上昇気流を利用して前記処理空間を前記湿り空気で充満させて前記処理対象物を処理する湿り空気を用いた処理装置であって、
前記処理空間の上部は多孔形状の蓋部材で覆われることを特徴とする湿り空気を用いた処理装置。
【請求項２】
処理対象物を収容可能な略密閉された処理空間と、
当該処理空間内に水分を供給するための水分供給手段と、
前記処理空間の下部に備わる加熱手段とを備え、
前記加熱手段により前記水分供給手段から供給された水分を湿り空気とし、前記加熱手段によって発生する上昇気流を利用して前記処理空間を前記湿り空気で充満させて前記処理対象物を処理する湿り空気を用いた処理装置であって、
前記処理空間の上部は自由に回動可能な板状の蓋部材で覆われることを特徴とする湿り空気を用いた処理装置。
【考案の詳細な説明】
【技術分野】
【０００１】
この考案は、湿り空気によって処理対象物を殺菌、乾燥等の処理を施すための湿り空気を用いた処理装置に関するものである。
【背景技術】
【０００２】
湿り空気を用いた処理装置が特許文献１に開示されている。この処理装置は、湿り空気発生時の上昇気流を利用して、上部に配置された対象物に対し、湿り空気により処理を施すものである。特許文献１に記載の処理装置を用いても、効率のよい湿り空気による処理を行うことができるが、さらに対象物に対する湿り空気の熱エネルギーの与熱効率の向上を図ることができれば、目的に応じた処理のバリエーション増加の観点からも好ましい。
【０００３】
【特許文献１】実用新案登録第３１３１２０９号公報
【考案の開示】
【考案が解決しようとする課題】
【０００４】
この考案は上記従来技術を考慮したものであって、処理空間内の流れを一様化し、湿り空気の分布を揃えて処理対象物への与熱効率の向上を図ることができる湿り空気を用いた処理装置の提供を目的とするものである。
【課題を解決するための手段】
【０００５】
前記目的を達成するため、請求項１の考案では、処理対象物を収容可能な略密閉された処理空間と、当該処理空間内に水分を供給するための水分供給手段と、前記処理空間の下部に備わる加熱手段とを備え、前記加熱手段により前記水分供給手段から供給された水分を湿り空気とし、前記加熱手段によって発生する上昇気流を利用して前記処理空間を前記湿り空気で充満させて前記処理対象物を処理する湿り空気を用いた処理装置であって、前記処理空間の上部は多孔形状の蓋部材で覆われることを特徴とする湿り空気を用いた処理装置を提供する。
【０００６】
さらに、請求項２の考案では、処理対象物を収容可能な略密閉された処理空間と、当該処理空間内に水分を供給するための水分供給手段と、前記処理空間の下部に備わる加熱手段とを備え、前記加熱手段により前記水分供給手段から供給された水分を湿り空気とし、前記加熱手段によって発生する上昇気流を利用して前記処理空間を前記湿り空気で充満させて前記処理対象物を処理する湿り空気を用いた処理装置であって、前記処理空間の上部は自由に回動可能な板状の蓋部材で覆われることを特徴とする湿り空気を用いた処理装置を提供する。
【考案の効果】
【０００７】
請求項１の考案によれば、処理空間の上部が多孔質形状の蓋部材で覆われるため、湿り空気が外部へ漏洩する際に蓋部材が抵抗となる。したがって、湿り空気が一度に拡散することなく、ゆっくりと上昇気流に沿って移動し、処理空間内の上昇気流の流れを一様化でき、発生した湿り空気の分布を揃えることができる。このように、湿り空気はゆっくりと上昇気流に沿って多孔形状の蓋部材を通過するため、湿り空気が持つ熱エネルギーを処理対象物に対し確実に与えることができる。すなわち、与熱効率が向上する。これは、湿り空気による処理対象物への殺菌や消毒、乾燥等の処理効率を向上することになる。また、略密閉された処理空間内を加熱手段により加熱するため、処理空間内は与圧されるが、蓋部材を多孔形状とすることにより、圧力を逃がすことができ、処理装置の使用に際する安全性が確保される。これに伴い、処理装置の材質も耐圧性能の低いものを用いることができ、低コスト化を図ることができる。
【０００８】
請求項２の考案によれば、処理空間の上部が自由に回動可能な蓋部材で覆われる。このため、与圧された処理空間内の圧力が蓋部材を押し開け、湿り空気はここから外部に漏洩する。したがって、蓋部材が湿り空気の流れの抵抗となる。これにより、湿り空気が一度に拡散することなく、ゆっくりと上昇気流に沿って移動し、処理空間内の上昇気流の流れを一様化でき、発生した湿り空気の分布を揃えることができる。このように、湿り空気はゆっくりと上昇気流に沿って上昇し、充満するため、湿り空気が持つ熱エネルギーを処理対象物に対し確実に与えることができる。すなわち、与熱効率が向上する。これは、湿り空気による処理対象物への殺菌や消毒、乾燥等の処理効率を向上することになる。また、回動可能な蓋部材により処理空間内の圧力を逃がすことができ、処理装置の使用に際する安全性が確保される。これに伴い、処理装置の材質も耐圧性能の低いものを用いることができ、低コスト化を図ることができる。
【考案を実施するための最良の形態】
【０００９】
この考案は、処理対象物を収容可能な略密閉された処理空間と、当該処理空間内に水分を供給するための水分供給手段と、前記処理空間の下部に備わる加熱手段とを備え、前記加熱手段により前記水分供給手段から供給された水分を湿り空気とし、前記加熱手段によって発生する上昇気流を利用して前記処理空間を前記湿り空気で充満させる湿り空気を用いた処理装置であって、前記処理空間の上部は多孔質形状の蓋部材で覆われることを特徴とする湿り空気を用いた処理装置又は前記処理空間の上部は自由に回動可能な板状の蓋部材で覆われることを特徴とする湿り空気を用いた処理装置である。
【実施例１】
【００１０】
図１はこの考案に係る湿り空気を用いた処理装置の概略図である。
【００１１】
図示したように、この考案に係る湿り空気を用いた処理装置１は、処理空間３と、水分供給手段４と、加熱手段５で構成される。処理空間３は、側壁６と底板７、及び蓋部材８からなる容器２により略密閉されて形成される。側壁６の上部には内側に突出する突出部材１３が形成され、この突出部材１３上に網目状の載置台１２が配設される。処理対象物１４は、載置台１２上に載置され、処理空間３内に収容される。また、蓋部材８は、多数の孔１５が形成された多孔板である。
【００１２】
水分供給手段４は、水タンク９と、バルブ１０と、ノズル１１で構成される。加熱手段５は処理空間３内の下部に備わり、ヒーター、好ましくはセラミックヒーターで構成される。水分供給手段４から供給された水分を、加熱手段５により加熱して湿り空気を発生させる。したがって、水分供給手段４と加熱手段５は、湿り空気を発生させることができればこのような構成に限らない。例えば、水で満たされた水槽内に超音波振動子を投入し、これをガスバーナーで加熱してミスト状とするものや、加熱手段により蒸気化した水分を霧吹きでミスト化してもよい。
【００１３】
処理装置１で処理対象物１４を湿り空気により処理する場合、まず処理対象物１４を載置台１２に載置し、蓋部材８を閉じる。この後、バルブ１０を調整して、水タンク９内の水をノズル１１から拡散放出する。この放出された水分をセラミックヒーターからなる加熱手段５により加熱し、湿り空気を発生させる。加熱による上昇気流で、湿り空気は上部に載置された処理対象物１４まで移動し、湿り空気が持つ熱エネルギーを処理対象物１４に付与する。すなわち、湿り空気により処理対象物１４を処理する。
【００１４】
このとき、蓋部材８がパンチングメタル等の多孔板で形成されるので、湿り空気が外部へ漏洩する際に、蓋部材８が抵抗となる。したがって、湿り空気が処理空間３内に一度に拡散することなく、ゆっくりと上昇気流に沿って移動し、処理空間３内の上昇気流の流れを一様化でき、発生した湿り空気の分布を揃えることができる。これにより、湿り空気はゆっくりと上昇気流に沿って蓋部材８を通過する。このため、湿り空気が持つ熱エネルギーを処理対象物に対し確実に与えることができる。すなわち、与熱効率が向上する。これは、湿り空気による処理対象物への殺菌や消毒、乾燥等の処理効率を向上することになる。
【００１５】
なお、多孔板の孔の一部を塞ぐ等して、上昇気流の流れを調整してもよい。あるいは、孔の形状、個数、大きさの異なる蓋部材８を用意してもよい。蓋部材８としては、上昇気流が外部に漏洩する際の抵抗となればどのような形状のものを用いてもよく、フィルタ等を用いることができる。
【００１６】
また、略密閉された処理空間３内を加熱手段５により加熱するため、処理空間３内は与圧されるが、蓋部材８を多孔形状とすることにより、圧力を逃がすことができ、処理装置１の使用に際する安全性が確保される。これに伴い、容器２の材質も耐圧性能の低いものを用いることができ、低コスト化を図ることができる。
【実施例２】
【００１７】
図２はこの考案に係る湿り空気を用いた別の処理装置の概略図である。
【００１８】
この例では、蓋部材８が回転軸１６を支点に回動可能に取り付けられる。したがって、湿り空気が発生していない状態では、処理空間３は密閉空間となる。湿り空気が発生すると、加熱によって処理空間３内が与圧され、この圧力が蓋部材８を矢印Ｒ方向に押し開ける。
【００１９】
このため、湿り空気はここから外部に漏洩する。したがって、蓋部材８が湿り空気の流れの抵抗となる。これにより、湿り空気が一度に拡散することなく、ゆっくりと上昇気流に沿って移動し、処理空間３内の上昇気流の流れを一様化でき、発生した湿り空気の分布を揃えることができる。このように、湿り空気はゆっくりと上昇気流に沿って上昇し、充満するため、湿り空気が持つ熱エネルギーを処理対象物１４に対し確実に与えることができる。すなわち、与熱効率が向上する。これは、湿り空気による処理対象物１４への殺菌や消毒、乾燥等の処理効率を向上することになる。また、回動可能な蓋部材８により処理空間３内の圧力を逃がすことができ、処理装置１の使用に際する安全性が確保される。これに伴い、容器２の材質も耐圧性能の低いものを用いることができ、低コスト化を図ることができる。その他の構成、作用、効果は実施例１と同様である。
【図面の簡単な説明】
【００２０】
【図１】この考案に係る湿り空気を用いた処理装置の概略図である。
【図２】この考案に係る湿り空気を用いた別の処理装置の概略図である。
【符号の説明】
【００２１】
１：処理装置、２：容器、３：処理空間、４：水分供給手段、５：加熱手段、６：側壁、７：底板、８：蓋部材、９：水タンク、１０：バルブ、１１：ノズル、１２：載置台、１３：突出部材、１４：処理対象物、１５：孔、１６：回転軸
【図１】
0003136596.tif 000003
【図２】
0003136596.tif 000004